(57)【要約】【課題】挿入された被包装体を位置決めできる包装体を提供する。【解決手段】包装体２０は、封筒状であり、被包装体の挿入方向とは異なる他方向の外形に対応した位置に設けられ表部３０と裏部４０との間を接着する接着層６０を有し、被包装体の他方向の位置決めをする他方向位置決め部と、閉じ片５０に設けられた粘着テープ７０を有し、閉じ片５０を閉じた状態で粘着テープ７０が表部３０の裏面のうち被包装体の挿入方向の外形に対応した位置に粘着することにより、被包装体の挿入方向の位置決めをする挿入方向位置決め部とを備える。【選択図】図１
0003203241.tif 000002
【実用新案登録請求の範囲】
【請求項１】
封筒状であり、閉じ側とは反対側のシート状の部材である第１部と、閉じ側のシート状の部材である第２部と、前記第１部に設けられ前記第２部側に折られる閉じ片とを備え、被包装体が挿入されることにより被包装体を包装する包装体において、
前記第２部のうち被包装体の挿入側の辺部側には、切り欠きが設けられており、
前記閉じ片を閉じた状態では、前記閉じ片の先端は、前記第２部の前記辺部の縁部に重なった状態であり、
被包装体の挿入方向とは異なる他方向の外形に対応した位置に設けられ前記第１部と前記第２部との間を接着する接着層を有し、この包装体内における被包装体の他方向の位置決めをする他方向位置決め部と、
前記閉じ片に設けられた粘着層を有し、前記閉じ片を閉じた状態で前記粘着層が前記第２部の前記切り欠きの範囲で前記第１部の裏面のうち被包装体の挿入方向の外形に対応した位置に粘着することにより、この包装体内における被包装体の挿入方向の位置決めをする挿入方向位置決め部とを備えること、
を特徴とする包装体。
【請求項２】
請求項１に記載の包装体において、
前記他方向位置決め部の前記接着層の外形の一部は、挿入方向において被包装体の挿入側から位置決め位置側に至る程、他方向において位置決め位置に近づく形状を有し、挿入された被包装体を位置決め位置へガイドするガイド部であること、
を特徴とする包装体。
【請求項３】
請求項１又は請求項２に記載の包装体において、
被包装体には、剥離される帳票が貼付されており、
前記第１部又は前記第２部は、被包装体を位置決めした状態において、前記帳票が露出する窓部を備えること、
を特徴とする包装体。
【請求項４】
請求項１から請求項３のいずれかに記載の包装体において、
前記第２部は、被包装体が位置決め位置に配置された状態において、被包装体の一部が露出する露出穴を備え、
前記閉じ片に設けられ、前記閉じ片が閉じられた状態において前記露出穴に重なる位置に配置され、前記露出穴に露出した被包装体に粘着することにより被包装体を保持する保持粘着部を備えること、
を特徴とする包装体。
【請求項５】
請求項４に記載の包装体において、
前記粘着層及び前記保持粘着部は、一体の部材であること、
を特徴とする包装体。
【考案の詳細な説明】
【技術分野】
【０００１】
本考案は、被包装体が挿入される包装体に関するものである。
【背景技術】
【０００２】
従来、薄型の封入物を配送するための封筒（包装体）があった（例えば特許文献１）。
しかし、封入物の外形が小さい場合には、封筒内の封入物の遊びが大きくなる。このため、従来の封筒は、封入物が、封筒内で大きく動いてしまう。
【先行技術文献】
【特許文献】
【０００３】
【特許文献１】特開２０１１−９８７４４号公報
【考案の概要】
【考案が解決しようとする課題】
【０００４】
本考案の課題は、挿入された被包装体を位置決めできる包装体を提供することである。
【課題を解決するための手段】
【０００５】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
・第１の考案は、封筒状であり、閉じ側とは反対側のシート状の部材である第１部（３０）と、閉じ側のシート状の部材である第２部（４０，２４０）と、前記第１部に設けられ前記第２部側に折られる閉じ片（５０，２５０）とを備え、被包装体（１０）が挿入されることにより被包装体を包装する包装体において、前記第２部のうち被包装体の挿入側の辺部（４２）側には、切り欠き（４３）が設けられており、前記閉じ片を閉じた状態では、前記閉じ片の先端は、前記第２部の前記辺部の縁部に重なった状態であり、被包装体の挿入方向（Ｙ）とは異なる他方向（Ｘ）の外形に対応した位置に設けられ前記第１部と前記第２部との間を接着する接着層（６０，３６０Ａ，３６０Ｂ，３６０Ｃ）を有し、この包装体内における被包装体の他方向の位置決めをする他方向位置決め部と、前記閉じ片に設けられた粘着層（７０，２７０）を有し、前記閉じ片を閉じた状態で前記粘着層が前記第２部の前記切り欠きの範囲で前記第１部の裏面のうち被包装体の挿入方向の外形に対応した位置に粘着することにより、この包装体内における被包装体の挿入方向の位置決めをする挿入方向位置決め部とを備えること、を特徴とする包装体である。
・第２の考案は、第１の発明の包装体において、前記他方向位置決め部の前記接着層（３６０Ａ，３６０Ｂ，３６０Ｃ）の外形の一部は、挿入方向において被包装体（１０）の挿入側（Ｙ２）から位置決め位置側に至る程、他方向において位置決め位置に近づく形状を有し、挿入された被包装体を位置決め位置へガイドするガイド部（３６１Ａ，３６１Ｂ，３６１Ｃ）であること、を特徴とする包装体である。
・第３の考案は、第１又は第２の考案の包装体において、被包装体（１０）には、剥離される帳票（１５ｂ）が貼付されており、前記第１部（３０）又は前記第２部（４０，２４０）は、被包装体を位置決めした状態において、前記帳票が露出する窓部（９０）を備えること、を特徴とする包装体である。
・第４の考案は、第１から第３の考案のいずれかの包装体において、前記第２部（２４０）は、被包装体（１０）が位置決め位置に配置された状態において、被包装体の一部が露出する露出穴（２８１）を備え、前記閉じ片（２５０）に設けられ、前記閉じ片が閉じられた状態において前記露出穴に重なる位置に配置され、前記露出穴に露出した被包装体に粘着することにより被包装体を保持する保持粘着部（２７０）を備えること、を特徴とする包装体である。
・第５の考案は、第４の考案の包装体において、前記粘着層（２７０）及び前記保持粘着部（２７０）は、一体の部材であること、を特徴とする包装体である。
【考案の効果】
【０００７】
本考案によれば、挿入された被包装体を位置決めできる包装体を提供できる。
【図面の簡単な説明】
【０００８】
【図１】第１実施形態の封緘前の包装体２０及び封筒１０のセット１を説明する図である。
【図２】第１実施形態の封緘した状態の包装体２０及び封筒１０のセット１を説明する図である。
【図３】第２実施形態の封緘前の包装体２２０を説明する図である。
【図４】第２実施形態の封緘した状態の包装体２２０及び封筒１０のセット２０１を説明する図である。
【図５】第３実施形態の封緘した状態の包装体３２０及び封筒１０のセットを説明する図である。
【考案を実施するための形態】
【０００９】
（実施形態）
以下、図面等を参照して、本考案の実施形態について説明する。
（第１実施形態）
図１は、第１実施形態の封緘前の包装体２０及び封筒１０のセット１を説明する図である。
図１（Ａ）は、包装体２０、封筒１０を上側Ｚ２（包装体２０の上面の法線方向）から見た図である。
図１（Ｂ）は、包装体２０を左右方向Ｘから見た断面図（図１（Ａ）、図１（Ｃ）のＢ−Ｂ断面図）である。
図１（Ｃ）は、包装体２０を下側Ｚ１（包装体２０の下面の法線方向）から見た図である。
図２は、第１実施形態の封緘した状態の包装体２０及び封筒１０のセット１を説明する図である。
図２（Ａ）は、包装体２０、封筒１０を上側Ｚ２から見た図である。
図２（Ｂ）は、包装体２０、封筒１０を左右方向Ｘから見た断面図（図２（Ａ）、図２（Ｃ）のＢ−Ｂ断面図）である。
図２（Ｃ）は、包装体２０を下側Ｚ１から見た図である。
図２（Ｄ）は、包装体２０、封筒１０を下側Ｙ１から見た断面図（図２（Ｃ）のＤ−Ｄ断面図）である。
【００１０】
実施形態、図面では、説明と理解を容易にするために、ＸＹＺ直交座標系を設けた。この座標系は、図１（Ａ）の状態を基準に、左右方向Ｘ（左側Ｘ１、右側Ｘ２）、縦方向Ｙ（下側Ｙ１、上側Ｙ２）、厚さ方向Ｚ（下側Ｚ１（下面側）、上側Ｚ２（上面側））を表す。各断面図において、各部材を明確に説明するために、各部材の厚さは、適宜誇張し、折られた状態の折目（例えば、包装体２０の左右の折目等）は、立壁を有するように図示した。このため、包装体２０は、箱状に図示するが、実際には一般の封筒のように十分に薄いものである。また、図２（Ｂ）、図２（Ｄ）の断面図では、封筒１０を簡略して１枚の板状に図示した。以降の図面も、同様に図示する。
【００１１】
図１、図２に示すように、包装体２０及び封筒１０のセット１は、封筒１０、包装体２０を備える。
包装体２０及び封筒１０のセット１は、封筒１０を包装体２０に挿入後、封筒１０を封緘した状態で、配送するためものである。実施形態では、封筒１０には、カード１１、約款１２等を封入する例を説明する（図１（Ａ）の二点鎖線内参照）。
【００１２】
（封筒１０）
封筒１０は、カード１１、約款１２が封入される。カード１１等は、配送を依頼する依頼者が実際に配送したいものである。カード１１等が封筒１０に挿入された状態のものは、包装体２０に包装される被包装体である。
封筒１０は、一般に流通している長形のものである（例えば、長形３号（Ｎ３）（１２０ｍｍ×２３５ｍｍ）、長形４号（Ｎ４）（９０ｍｍ×２０５ｍｍ）等）。
【００１３】
封筒１０の上面には、配送伝票１５が貼付される。
配送伝票１５は、基材１５ａ上に配達票１５ｂ（帳票）、貼付票１５ｃが並べて配列されたタイプ（いわゆる１パーツタイプ）のものである。
基材１５ａの下面には、配送伝票１５を封筒１０に貼付するための粘着層（図示せず）が設けられている。
配達票１５ｂは、剥離可能な態様で、基材１５ａに接着されている。
【００１４】
（包装体２０）
包装体２０は、左右方向Ｘに細長い横型の洋封筒状のものである。
縦方向Ｙは、封筒１０の挿入方向であり、一方、左右方向Ｘは、縦方向Ｙに直交する方向であり、封筒１０の挿入方向とは異なる方向である。
包装体２０は、展開状態で、表部３０（第１部）、裏部４０（第２部）、閉じ片５０を有する１枚のシート状の厚紙等を、カマス貼りすることにより形成される。つまり、包装体２０は、表部３０及び裏部４０を２つ折りにした後、これらの左右辺部をそれぞれ糊代（図示せず）で接着することにより形成される。
なお、表部３０は、天地とも称される部分であり、裏部４０は、折り返しとも称される部分であり、閉じ片５０は、ベロとも称される部分である。
封緘前の状態では、表部３０は、上側Ｚ２（つまり閉じ側とは反対側）に配置される。裏部４０は、下側Ｚ１（つまり閉じ側）に配置されている。閉じ片５０は、表部３０の上辺部３２に、折部によって回転可能に接続されている。この折部は、折罫、ミシン目を、厚紙等に設けることにより形成できる。
【００１５】
表部３０、裏部４０、閉じ片５０の形状は、以下の通りである。
図１に示すように、表部３０の外形は、封筒１０の外形よりも十分に大きい長方形である。
包装体２０は、封筒状であるので、表部３０の最大外形と、裏部４０の最大外形とは、等しい。
但し、裏部４０は、上辺部４２側、つまり封筒１０の挿入側を大きく切り欠いた切り欠き４３を有する。このため、裏部４０の下辺部４１から上辺部４２までの長さは、一般の洋封筒のものよりも短い。裏部４０の下辺部４１から上辺部４２までの長さは、封筒１０の短辺の長さＬ１０Ｙ（図２（Ｂ）参照）よりも、若干（例えば５〜１０ｍｍ程度）長い程度である。
【００１６】
図２に示すように、閉じ片５０が閉じられた状態において、閉じ片５０の左右外側の部分５５は、裏部４０の左右外側の部分４５を覆う。また、閉じ片５０の先端部分は、裏部４０の上辺部４２の縁部を覆う。つまり、閉じ片５０の先端部分と、裏部４０の上辺部４２の縁部とは、重なる（図２（Ｃ）の重なり範囲Ａ４２参照）。重なり範囲Ａ４２の縦方向Ｙの長さは、小さくてよく、例えば５〜１０ｍｍ程度である。
また、閉じ片５０は、切り欠き４３の全てを覆うので、縦方向Ｙにおいて、閉じ片５０の長さは、一般の洋封筒の閉じ片の長さよりも長い。
【００１７】
図１に示すように、包装体２０は、接着層６０、粘着テープ７０、窓部９０を備える。
接着層６０は、表部３０の下面及び裏部４０の上面間を接着する部材である。接着層６０は、粘着テープ、接着剤等である。接着層６０は、包装体２０の製造時に設けられる。このため、作業者が、封筒１０を包装体２０に挿入する際には、既に、表部３０の下面及び裏部４０の上面間が接着された状態である。
接着層６０は、表部３０及び裏部４０を、左側Ｘ１かつ下側Ｙ１の範囲で接着する。
縦方向Ｙにおいて、接着層６０の長さは、封筒１０の短辺の長さＬ１０Ｙ（図２（Ｂ）参照）よりも長い。
また、左右方向Ｘにおいて、裏部４０の左辺部（つまり包装体２０の左辺部）から接着層６０の左辺部までの長さＬ６０Ｘ（図２（Ｄ）参照）は、封筒１０の長辺の長さＬ１０Ｘよりも、若干（例えば５ｍｍ程度）長い。
このように、接着層６０は、封筒１０の左右方向Ｘの外形に対応した位置に設けられている。
【００１８】
図１に示すように、粘着テープ７０は、閉じ片５０を閉じるためのものである。粘着テープ７０は、閉じ片５０の下側Ｚ１に設けられている。なお、実施形態では、粘着は、広義の接着の概念に含まれる。
粘着テープ７０は、剥離紙７６を備えており、この剥離紙７６を剥がすことにより、粘着層７５が露出する。粘着テープ７０の長手方向は、左右方向Ｘに平行である。
【００１９】
図２に示すように、裏部４０が切り欠き４３を備えるので、閉じ片５０を閉じた状態では、粘着テープ７０の中央の部分は、裏部４０ではなく、表部３０の下面（裏面）に粘着する。また、粘着テープ７０の左右の部分は、裏部４０の下面のうち切り欠き４３よりも左右外側の部分４５の一部に粘着する。
また、閉じ片５０を閉じた状態では、縦方向Ｙにおいて、裏部４０の下辺部４１から粘着テープ７０の下辺部までの長さＬ７０Ｙは、封筒１０の短辺の長さＬ１０Ｙよりも、若干（例えば５ｍｍ程度）長い。
【００２０】
図２に示すように、窓部９０は、封筒１０に貼付した配送伝票１５を、包装体２０の外部に露出させる開口である。窓部９０は、表部３０に設けられている。
左右方向Ｘにおいて、窓部９０の長さＬ９０Ｘは、封筒１０の長さＬ１０Ｘよりも小さく、かつ、配送伝票１５の長さＬ１５Ｘよりも大きい。同様に、縦方向Ｙにおいて、窓部９０の長さＬ９０Ｙは、封筒１０の長さＬ１０Ｙよりも小さく、かつ、配送伝票１５の長さＬ１５Ｙよりも大きい。
また、封筒１０が位置決めされた状態では、窓部９０の中心と、配送伝票１５の中心とは、等しい。
【００２１】
また、各部材の寸法は、配送伝票１５を封筒１０の指定位置に貼り付け、かつ、封筒１０を包装体２０の内部で位置決めした状態において、以下の状態を満たすように、設定されている。
（１）配送伝票１５の全体が包装体２０の窓部９０内に露出する。
（２）封筒１０の左辺部、右辺部、上辺部が窓部９０内に露出しない。
これにより、封筒１０を位置決めした状態では、配送伝票１５の記入内容は、包装体２０の外部から視認でき、また、封筒１０は、包装体２０から不意に飛び出したりすることがない。
なお、実施形態では、上記（１）のように、配送伝票１５の全体が露出する例を示すが、これに限定されない。封筒１０を位置決めした状態において、貼付票１５ｃは、配達先の氏名、住所等を示す欄のみが、窓部９０内に露出すればよい。但し、配達票１５ｂは、後述するように、封緘された状態で剥離される。そのため、配達票１５ｂは、全体が窓部９０内に露出する形態が好適である。
【００２２】
（使用方法）
包装体２０及び封筒１０のセット１の使用方法について説明しながら、封筒１０を包装体２０に位置決めする方法等を説明する。
発送元は、以下のように包装体２０及び封筒１０のセット１を使用する。発送元は、配送の依頼者、配送業者の従業者（以下「配送者」ともいう）等である。
（１）図１（Ａ）の二点鎖線内に示すように、カード１１等を封筒１０に入れる。
（２）配送伝票１５に必要事項（依頼者の氏名、住所、配達先の氏名、住所等）を記入する。
（３）図１（Ａ）に示すように配送伝票１５を、封筒１０の指定された位置に貼付する。
（４）封筒１０を、配送伝票１５が貼られた側を上面にして、包装体２０に挿入する。
図２に示すように、この場合、封筒１０の長辺方向を、左右方向Ｘに平行にし、かつ、封筒１０を、包装体２０の左辺部の内側面及び接着層６０の右辺部の間に配置する。
また、封筒１０を包装体２０に挿入後、封筒１０を包装体２０の下辺部の内側面に当て付ける。
これにより、封筒１０は、左右方向Ｘ及び縦方向Ｙにおいて、包装体２０内の位置決め位置に配置される。
【００２３】
前述したように、裏部４０の左辺部から接着層６０までの長さＬ６０Ｘは、封筒１０の長辺の長さＬ１０Ｘよりも、若干長い程度である。このため、封筒１０が包装体２０内で左右方向Ｘに移動可能な量は、この若干長い程度のみである。これにより、封筒１０は、左右方向Ｘ（他方向）の位置決めがされた状態になる。このように、接着層６０、包装体２０の左内側面等を備える位置決め部（他方向位置決め部）によって、封筒１０は、包装体２０内における左右方向Ｘの位置決めがされる。
このように、包装体２０は、封筒１０が挿入されることにより、封筒１０の左右方向Ｘの位置決めをすることができる。
【００２４】
（５）図２に示すように、粘着テープ７０の剥離紙７６（図１（Ｃ）参照）を剥がした後、閉じ片５０を、裏部４０側に折ることにより閉じる。前述したように、閉じ片５０を閉じた状態では、粘着テープ７０の中央の部分は、表部３０の下面（裏面）に直接粘着する。これにより、縦方向Ｙにおいて、封筒１０は、包装体２０の下辺部の内側面及び粘着テープ７０の間に配置される。
前述したように、包装体２０の下辺部から粘着テープ７０の下辺部までの長さＬ７０Ｙは、封筒１０の短辺の長さＬ１０Ｙよりも、若干長い程度である。このため、封筒１０が包装体２０内で縦方向Ｙに移動可能な量は、この若干長い程度のみである。これにより、封筒１０は、縦方向Ｙ（挿入方向）の位置決めがされた状態になる。このように、粘着テープ７０、包装体２０の下辺部の内側面等を備える位置決め部（挿入方向位置決め部）によって、封筒１０は、包装体２０内における縦方向Ｙの位置決めがされる。
【００２５】
閉じ片５０が閉じられた状態では、粘着テープ７０は、中央の部分が表部３０の下面に粘着することに加えて、左右の両側の部分が、裏部４０に粘着する。このため、閉じ片５０は、配送時等に、不意に開いてしまうことはない。
また、閉じ片５０のうち粘着テープ７０よりも下側Ｙ１の部分は、十分に短いので（例えば１０ｍｍ以内）、配送時等に、不意にめくれてしまうことはない。
さらに、閉じ片５０の先端部分は、裏部４０の上辺部４２の縁部に重なっている。このため、封筒１０は、包装体２０の下面に露出しないため、汚損等から保護される。
【００２６】
このように、包装体２０は、封をされるという通常の作業によって、自然に、封筒１０の縦方向Ｙの位置決めをすることができる。
また、封筒１０が包装体２０の内部で位置決めされることにより、窓部９０内に、配送伝票１５が露出する。
このため、配送者は、包装体２０の輸送時には、配達先を確認でき、また、包装体２０を配達先に届けた際には、配達票１５ｂを配送伝票１５から容易に剥がすことができる。この際に、配送者は、配達完了の確認のためサイン等を、この配達票１５ｂに荷受人にして貰う。
【００２７】
以上説明したように、本実施形態の包装体２０は、簡単な作業によって、包装体２０内における封筒１０の位置決めをすることができる。また、このように包装体２０内における封筒１０の位置決めをすることにより、封筒１０は、包装体２０内に確実に保持される。これにより、輸送中等において、封筒１０が包装体２０内で大きく動くことがないので、包装体２０は、カード１１等の損傷を抑制できる。
さらに、小さい封筒１０であっても、包装体２０内に挿入して輸送することにより、宅配便等による輸送便で扱っても、他の荷物に紛れてしまうことを抑制できる。
なお、接着層６０を、包装体２０の左側Ｘ１、右側Ｘ２にそれぞれ設けてもよい。この場合には、左右の接着層６０の間隔を、封筒１０の長辺の長さＬ１０と同等にすることにより、左右方向Ｘにおいて封筒１０を位置決めできる。
【００２８】
（第２実施形態）
次に、本考案の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図３は、第２実施形態の封緘前の包装体２２０を説明する図である。
図３（Ａ）は、包装体２２０を上面から見た図である。
図３（Ｂ）は、包装体２２０を左右方向Ｘから見た断面図（図３（Ａ）、図３（Ｃ）のＢ−Ｂ断面図）である。
図３（Ｃ）は、包装体２２０を下側Ｚ１から見た図である。
図４は、第２実施形態の封緘した状態の包装体２２０及び封筒１０のセット２０１を説明する図である。
図４（Ａ）は、包装体２２０、封筒１０を上面から見た図である。
図４（Ｂ）は、包装体２２０、封筒１０を左右方向Ｘから見た断面図（図４（Ａ）、図４（Ｃ）のＢ−Ｂ断面図）である。
図４（Ｃ）は、包装体２２０を下側Ｚ１から見た図である。
図４（Ｄ）は、包装体２２０、封筒１０を下側Ｙ１から見た断面図（図４（Ｃ）のＤ−Ｄ断面図）である。
【００２９】
包装体２２０の形態について説明する。
図３に示すように、裏部２４０は、露出穴２８１を備える。
露出穴２８１は、左右にそれぞれ設けられている。
図４に示すように、露出穴２８１は、封筒１０が位置決め位置に配置された状態において、封筒１０に重なる位置に配置されている。このため、封筒１０が位置決め位置に配置された状態において、露出穴２８１には、封筒１０の一部が露出する。
【００３０】
閉じ片２５０の縦方向Ｙの長さは、閉じ片２５０が閉じられた状態において、閉じ片２５０が裏部２４０の露出穴２８１を覆う程度に長い。
粘着テープ２７０（粘着層、保持粘着部）は、第１実施形態よりも幅（縦方向Ｙの長さ）が大きい。粘着テープ２７０は、閉じ片２５０が閉じられた状態において露出穴２８１に重なる位置に配置されている。
【００３１】
上記構成により、封筒１０が位置決め位置に配置された状態において、閉じ片２５０が閉じられることにより、粘着テープ２７０は、裏部２４０の下面に加えて、露出穴２８１に露出した封筒１０の下面に粘着する。これにより、粘着テープ２７０は、封筒１０を、位置決め位置に確実に保持できる。
【００３２】
以上説明したように、本実施形態の包装体２２０は、粘着テープ２７０が封筒１０に直接粘着するので、封筒１０を確実に保持できる。
なお、粘着テープ２７０は、閉じ片２５０を閉じるための粘着テープ２７０と、封筒１０を保持する保持粘着部とが一体の部材である例を示したが、２つの帯状の部分に分離してもよい。この場合には、一方を、第１実施形態の粘着テープ７０の形態にし、他方を、露出穴２８１に露出した封筒１０に粘着する保持粘着部の形態にすればよい。
【００３３】
（第３実施形態）
次に、本発明の第３実施形態について説明する。
図５は、第３実施形態の封緘した状態の包装体３２０（３２０Ａ，３２０Ｂ，３２０Ｃ）及び封筒１０のセットを説明する図である。
図５（Ａ）は、包装体３２０Ａ及び封筒１０を下側Ｚ１から見た図である。
図５（Ｂ）、図５（Ｃ）は、それぞれ、その他の形態の包装体３２０Ｂ及び封筒１０、包装体３２０Ｃ及び封筒１０を下側Ｚ１から見た図である。
【００３４】
図５（Ａ）に示すように、包装体３２０Ａの接着層３６０Ａの外形は、三角形である。
接着層３６０Ａは、ガイド部３６１Ａを備える。
ガイド部３６１Ａは、三角形の一部を形成する斜辺部であり、縦方向Ｙにおいて封筒１０の挿入側である上側Ｙ２から下側Ｙ１（位置決め位置側）に至る程、左側Ｘ１に至るように（つまり位置決め位置に近づくように）傾斜している。
このため、接着層３６０Ａのガイド部３６１Ａ及び包装体３２０Ａの左辺部の内側部を備える位置決め部（他方向位置決め部）の左右方向Ｘ（他方向）の長さＬ６０Ｘは、下側Ｙ１に至る程、長さが短くなる。
【００３５】
封筒１０の挿入作業時において封筒１０が右側Ｘ２にずれていても、ガイド部３６１Ａは、封筒１０を左側Ｘ１にガイドする。このため、ガイド部３６１Ａは、封筒１０を、位置決め位置へとガイドできる。これにより、作業性を向上できる。
封緘された状態では、接着層３６０Ａの最下端（下側Ｙ１の端部）における長さＬ６０Ｘは、第１実施形態の長さＬ６０Ｘと同様である。このため、封筒１０は、包装体３２０Ａ内で、右側Ｘ２に大きく移動してしまうことはない。また、封筒１０は、接着層３６０Ａ、粘着テープ７０等によって、ＸＹ平面において大きく回転してしまうことはない。
【００３６】
図５（Ｂ）に示すように、包装体３２０Ｂの接着層３６０Ｂの外形は、ガイド部３６１Ｂの下側Ｙ１の端部から、さらに下側Ｙ１に延びる直線部３６２Ｂを備える。直線部３６２Ｂは、縦方向Ｙに平行である。
ガイド部３６１Ｂは、上記ガイド部３６１Ａと同様に、封筒１０を、位置決め位置へとガイドできる。
また、封緘された状態では、直線部３６２Ｂは、封筒１０を包装体３２０Ｂ内で動かないように、上記包装体３２０Ａよりも確実に規制できる。
【００３７】
図５（Ｃ）に示すように、包装体３２０Ｃの接着層３６０Ｃのガイド部３６１Ｃは、上記包装体３２０Ｂのガイド部３６１Ｂを、円弧状に変形したものである。この円弧も、上側Ｙ２から下側Ｙ１に至る程、左側Ｘ１に至るような形状である。直線部３６２Ｃは、上記包装体３２０Ｂの直線部３６２Ｂと同様である。
このような形態でも、包装体３２０Ｃは、上記包装体３２０Ｂと同様な作用、効果を奏する。
【００３８】
以上説明したように、本実施形態の包装体３２０Ａ，３２０Ｂ，３２０Ｃは、封緘時の作業性を向上できる。
なお、接着層３６０Ａを、包装体３２０Ａの左側Ｘ１、右側Ｘ２にそれぞれ設けてもよい。この場合には左右のガイド部３６１Ａが、封筒１０を、包装体３２０Ａの左右方向Ｘの中央の領域にガイドできる。包装体３２０Ｂ及び接着層３６０Ｂと、包装体３２０Ｃ及び接着層３６０Ｃとについても同様である。
【００３９】
以上、本考案の実施形態について説明したが、本考案は前述した実施形態に限定されるものではなく、例えば、後述する変形形態等のように種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した実施形態及び後述する変形形態は、適宜組み合わせて用いることもできるが、詳細な説明は省略する。
【００４０】
（変形形態）
（１）実施形態において、窓部は、表部に設けた例を示したが、これに限定されない。窓部は、裏部に設けてもよい。
この場合には、裏部の窓部を、閉じられた閉じ片を逃げる領域に設け、かつ、封筒を、伝票が貼付された側が下面になるようにして、包装体に挿入すればよい。この場合には、窓部及び伝票の大きさを小さくしてもよい。
【００４１】
（２）実施形態において、配送物の本体であるカード等を封筒に挿入し、その封筒を包装体に挿入する例を示したが、これに限定されない。配送物の本体を、直接、包装体に挿入してもよい。
この場合には、配送物の本体の外形に対応した位置に、接着層、粘着層を設ければよい。
【００４２】
（３）実施形態において、包装体は、横長の洋封筒状である例を示したが、これに限定されない。包装体は、縦長の封筒（つまり、閉じ片が短辺に設けられた封筒）でもよい。
この場合にも、包装体の位置決め位置に対応し、かつ、封筒（被包装体）の外形に対応した位置に接着層、粘着層等を設けることにより、実施形態と同様な効果を奏する。
【符号の説明】
【００４３】
１０…封筒    １１…カード    １２…約款    １５…配送伝票    １５ｂ…配達票    ２０，２２０，３２０Ａ，３２０Ｂ，３２０Ｃ…包装体    ３０…表部    ４０，２４０…裏部    ４２…上辺部    ４３…切り欠き    ５０，２５０…閉じ片    ６０，３６０Ａ，３６０Ｂ，３６０Ｃ…接着層    ７０，２７０…粘着テープ    ７５…粘着層    ９０…窓部    ２８１…露出穴    ガイド部…３２１Ａ，３２１Ｂ，３２１Ｃ
【図１】
0003203241.tif 000003
【図２】
0003203241.tif 000004
【図３】
0003203241.tif 000005
【図４】
0003203241.tif 000006
【図５】
0003203241.tif 000007